(57)【要約】【課題】適切な設定に基づいて再接続処理を行う。【解決手段】撮像装置１は、携帯端末２と無線通信可能な撮像装置１であって、接続情報設定部１２と、通信制御部１３と、を備える。接続情報設定部１２は、接続制御情報１５を設定する。接続情報設定部１２に設定されている接続制御情報１５に基づいて前記無線通信にかかる無線信号の送信間隔を制御する。【選択図】図３
2020114032.tif 000002
【特許請求の範囲】
【請求項１】
外部装置と無線通信可能な無線通信装置であって、
所定の機能を実行する機能実行手段への電源供給の停止を契機に当該無線通信装置の使用状況を示す使用状況情報を記憶する記憶手段と、
前記外部装置と無線通信を行っていない時に前記機能実行手段の起動を契機とした再接続の要求を受けたことにより、前記記憶手段によって記憶された使用状況情報に基づいて、前記外部装置との無線接続に係る接続制御情報を設定する設定手段と、
前記設定手段によって設定された接続制御情報に基づいて前記無線通信にかかる無線信号の送信間隔を制御する制御手段と、
を備えることを特徴とする無線通信装置。
【請求項２】
前記接続制御情報は、前記無線通信の再接続を行う時間の長さを示す情報を更に含み、
前記制御手段は、前記接続制御情報に含まれる時間の長さだけ前記無線通信の再接続を行うことを特徴とする請求項１に記載の無線通信装置。
【請求項３】
前記設定手段は、前記制御手段が無線通信の再接続を行ったが、無線接続が確立されなかった場合に、前記設定した接続制御情報の内容を変更することを特徴とする請求項１又は２に記載の無線通信装置。
【請求項４】
前記設定手段は、前記記憶手段が記憶する使用状況情報に基づいて、複数の設定用情報の中から何れかの設定用情報を選択し、選択した設定用情報を接続制御情報に設定することを特徴とする請求項１乃至３の何れか１項に記載の無線通信装置。
【請求項５】
前記設定手段は、複数の設定用情報の中からユーザが選択した設定用情報を接続制御情報に設定することを特徴とする請求項１乃至４の何れか１項に記載の無線通信装置。
【請求項６】
当該無線通信装置は、電池により駆動し、
前記設定手段は、前記電池の残量と前記使用状況情報との双方に基づいて前記接続制御情報を設定することを特徴とする請求項１乃至５の何れか１項に記載の無線通信装置。
【請求項７】
前記無線信号は、ＢＬＥ規格に準拠したアドバタイジング信号であることを特徴とする請求項１乃至６の何れか１項に記載の無線通信装置。
【請求項８】
外部装置と無線通信が可能な無線通信装置と、前記外部装置とを備えた通信システムであって、
前記無線通信装置は、
所定の機能を実行する機能実行手段と、
前記機能実行手段への電源供給の停止を契機に当該無線通信装置の使用状況を示す使用状況情報を記憶する記憶手段と、
前記外部装置と無線通信を行っていない時に前記機能実行手段の起動を契機とした再接続の要求を受けたことにより、前記記憶手段に記憶されている使用状況情報に基づいて、前記外部装置との無線接続に係る接続制御情報を設定する設定手段と、
前記設定手段に設定されている接続制御情報に基づいて前記無線通信にかかる無線信号の送信間隔を制御する制御手段と、を備え、
前記外部装置は、
前記無線通信装置から前記制御手段により制御された送信間隔で送信される前記無線信号を受信し、該受信した無線信号に応答することにより、前記無線通信装置との無線接続を確立し、
前記確立された無線接続により前記無線通信装置と前記外部装置との間で無線通信を行うことを特徴とする通信システム。
【請求項９】
外部装置と無線通信可能な無線通信装置が実行する無線通信方法であって、
所定の機能を実行する機能実行手段への電源供給の停止を契機に当該無線通信装置の使用状況を示す使用状況情報を記憶する記憶ステップと、
前記外部装置と無線通信を行っていない時に前記機能実行手段の起動を契機とした再接続の要求を受けたことにより、前記記憶ステップにて記憶された使用状況情報に基づいて、前記外部装置との無線接続に係る接続制御情報を設定する設定ステップと、
前記設定ステップにて設定された接続制御情報に基づいて前記無線通信にかかる無線信号の送信間隔を制御する制御ステップと、
を含むことを特徴とする無線通信方法。
【請求項１０】
外部装置と無線通信可能なコンピュータに、
所定の機能を実行する機能実行手段への電源供給の停止を契機に当該コンピュータを備えた無線通信装置の使用状況を示す使用状況情報を記憶する記憶機能、
前記外部装置と無線通信を行っていない時に前記機能実行手段の起動を契機とした再接続の要求を受けたことにより、前記記憶機能によって記憶された使用状況情報に基づいて、前記外部装置との無線接続に係る接続制御情報を設定する設定機能、
前記設定機能によって設定された接続制御情報に基づいて前記無線通信にかかる無線信号の送信間隔を制御する制御機能、
を実現させることを特徴とする無線通信プログラム。
【発明の詳細な説明】
【技術分野】
【０００１】
本発明は、無線通信装置、通信システム、無線通信方法及び無線通信プログラムに関する。
【背景技術】
【０００２】
従来、撮像装置と携帯端末との間で通信を行い、撮像データを送受信や携帯端末からの撮像装置の操作といった機能を実現する技術が知られている。このような技術の一例が特許文献１に開示されている。
特許文献１に開示の技術では、ＢＬＥ（Ｂｌｕｅｔｏｏｔｈ（登録商標）  Ｌｏｗ  Ｅｎｅｒｇｙ）に準拠した通信を行うスマートフォン等の外部装置により、撮像装置の撮像機能を制御する。
【０００３】
例えば、シャッターチャンスにユーザがスマートフォンを操作し、ＢＬＥ通信により撮像装置の電源をオンにする。すると、撮像装置のＢＬＥモジュールは、起動した撮像装置のマイクロコンピュータとの初期化のためのハンドシェイクを実行し、ファームウェアをマイクロコンピュータからダウンロードする。
この場合に、特許文献１に開示の技術では、シャッターチャンスを逃さないため、可能な限り速やかにファームウェアをダウンロードするような制御を行っている。
【先行技術文献】
【特許文献】
【０００４】
【特許文献１】特開２０１７−９１４１２号公報
【発明の概要】
【発明が解決しようとする課題】
【０００５】
特許文献１に開示の技術のように、撮像装置と携帯端末との間で通信を行い、撮像データの送受信や携帯端末からの撮像装置の操作といった機能を実現する撮像装置では、端末装置からのＢＬＥ通信を契機として撮像装置が起動した場合、ＢＬＥモジュールのリセットを行い、ＢＬＥ通信の制御を行う必要がある。
【０００６】
ここで、再接続を速やかに実現するためには、例えば、再接続のために送信するアドバタイジングパケットの送信周期を短くし、短時間で多くのアドバタイジングパケットを送信すればよい。しかしながら、このようにアドバタイジングパケットの送信周期を短くした場合には、これに伴い消費電力も増大してしまう。
一方で、送信周期を長くした場合には、消費電力を低減させることはできるが、再接続に時間を要してしまい、例えばシャッターチャンスを逃す等の問題が発生してしまう。
【０００７】
つまり、消費電力と、再接続を速やかにすることとはトレードオフの関係にある。そして、この両者の何れを優先するべきであるかは状況に応じて変わるので、上述の送信周期等を適切に設定することは困難であった。
【０００８】
本発明は、このような状況に鑑みてなされたものであり、適切な設定による再接続処理によって、消費電力を低減することを目的とする
【課題を解決するための手段】
【０００９】
上記目的を達成するため、本発明の一態様の無線通信装置は、
所定の機能を実行する機能実行手段への電源供給の停止を契機に当該無線通信装置の使用状況を示す使用状況情報を記憶する記憶手段と、
前記外部装置と無線通信を行っていない時に前記機能実行手段の起動を契機とした再接続の要求を受けたことにより、前記記憶手段によって記憶された使用状況情報に基づいて、前記外部装置との無線接続に係る接続制御情報を設定する設定手段と、
前記設定手段によって設定された接続制御情報に基づいて前記無線通信にかかる無線信号の送信間隔を制御する制御手段と、
を備えることを特徴とする。
【発明の効果】
【００１０】
本発明によれば、適切な設定に基づいて再接続処理を行うことができる。
【図面の簡単な説明】
【００１１】
【図１】本発明の一実施形態に係る通信システムＳのシステム構成を示すシステム構成図である。
【図２】本発明の一実施形態に係る撮像装置１及び携帯端末２のハードウェアの構成を示すブロック図である。
【図３】図２の撮像装置が有する機能的構成を示すブロック図である。
【図４】本発明の一実施形態に係る撮像装置１が設定するアドバタイジングモードについて示す模式図である。
【図５】図３の機能的構成を有する図２の撮像装置１が実行する接続処理の流れを説明するフローチャート（１／２）である。
【図６】図３の機能的構成を有する図２の撮像装置１が実行する接続処理の流れを説明するフローチャート（２／２）である。
【発明を実施するための形態】
【００１２】
以下、本発明の実施形態について、図面を用いて説明する。
図１は、本発明の一実施形態に係る通信システムＳのシステム構成を示すシステム構成図である。
【００１３】
通信システムＳは、図１に示すように、撮像装置１と、携帯端末２とを含む。
撮像装置１は、少なくとも、撮影機能と、携帯端末２との間で近距離無線通信を行う通信機能と、を有する。なお、撮像装置１は、無線通信を行う装置であり、本発明における「無線通信装置」に相当する。
携帯端末２は、少なくとも、撮像装置１との間で近距離無線通信を行う通信機能を有する。なお、携帯端末２は、撮像装置１とは別途の外部装置であり、本発明における「外部装置」に相当する。
【００１４】
本実施形態において、近距離無線通信は、ＢＬＥ（Ｂｌｕｅｔｏｏｔｈ（登録商標）  Ｌｏｗ  Ｅｎｅｒｇｙ）通信であり、携帯端末２がＢＬＥ接続におけるセントラルとして機能し、撮像装置１がＢＬＥ接続におけるペリフェラルとして機能する。
【００１５】
通信システムＳでは、撮像装置１のメイン電源をオフした状態であっても近距離無線通信機能を維持することが可能であり、撮像装置１はメイン電源をオフした状態であってもアドバタイジング信号を送信する。この撮像装置１が送信するアドバタイジング信号に携帯端末２が応答することを契機として接続処理が行われ、撮像装置１と携帯端末２の通信接続が確立される。
アドバタイジング信号とは、無線通信装置間でのネットワーク管理に必要な情報のことであり、デバイスの発見と接続のために送信される。また、例えば、通信データを暗号化する場合に、鍵の交換をどのように行なうか等を定義するための情報が含まれる。
【００１６】
この状態で、何らかのＢＬＥイベント（例えば、携帯端末２が撮像装置１に近づく。）が発生すると、通信機能以外のメイン電源がオフ状態の撮像装置１では、自動的にメイン電源がオンされて、撮像装置１の起動処理（初期化処理や撮影のための準備処理など）が行われる。また、これに伴い、撮像装置１の近距離無線通信機能を実現する近距離無線通信部がリセットされる。そして、リセットされた近距離無線通信部と、携帯端末２との間で再接続処理が行われる。再接続処理が終了すると、動作モードに応じて撮影等の処理が自動的に実行される。即ち、撮像装置１では、何らかのＢＬＥイベントが発生することで、接続処理と、その後の所定の処理が自動的に行われるように構成される。
【００１７】
このような通信システムＳでは、撮像装置１と携帯端末２との近距離無線通信に関する使用状況に応じて接続制御情報を設定する。ここで、接続制御情報には、例えば、アドバタイジングパケットを送信する周期であるアドバタイジングインターバルや、再接続処理を行う時間の長さが含まれる。そして、再接続処理において、撮像装置１は、この設定された接続制御情報に基づいた制御で、無線接続の確立を試みる。
つまり、通信システムＳでは、近距離無線通信に関する使用状況に応じた適切な設定に基づいて再接続処理を行うことができる。
【００１８】
具体例として、例えば、ユーザが撮像装置１と携帯端末２とを近距離無線通信で連携して使用しているが、一旦撮像装置１の電源が切れた状況を考える。この状況でＢＬＥイベントが発生した場合、ユーザは再度、撮像装置１と携帯端末２とを近距離無線通信で連携して使用していると考えられる。そこで、速やかに再接続処理を行うことが望ましい。そこで、このような場合には、例え消費電力が増加するとしても、例えばアドバタイジングインターバルを短く設定して速やかな接続を行うようにする。
【００１９】
他の例として、ユーザが撮像装置１と携帯端末２とを近距離無線通信で連携して使用する意図があるか否かは不明だが、撮像装置１と携帯端末２とが近づいたことによりＢＬＥイベントが発生した場合には、必ずしも速やかに再接続処理を行わなくてもよい。そこで、このような場合には、例え接続までに時間を要するとしても、例えばアドバタイジングインターバルを長く設定することにより消費電力を低減させる。
【００２０】
通信システムＳでは、このような切り分けを行うために、撮像装置１の電源オフ時に近距離無線通信が行われていたのか否かといった使用状況を記憶しておく。そして、撮像装置１が再起動して再接続を行う際に、この記憶していた使用状況に応じて設定を行うことにより、使用状況に応じた適切な設定に基づいた再接続処理を行うことができる。
【００２１】
図２は、本発明の一実施形態に係る撮像装置１及び携帯端末２のハードウェアの構成を示すブロック図である。ここで、撮像装置１と、携帯端末２のハードウェアの構成は共通するので１つの図にそれぞれの符号を図示する。具体的には、撮像装置１における符号には括弧を付さずに図示し、携帯端末２における符号には括弧を付して図示する。
【００２２】
なお、重複する説明を省略すべく、図２を参照して、撮像装置１を例に取ってハードウェアの構成の説明をする。ただし、以下の図２を参照した説明における、撮像装置１を携帯端末２と読み替え、携帯端末２を撮像装置１と読み替え、撮像装置１における符号を、携帯端末２における符号に読み替えることにより、携帯端末２のハードウェアの構成の説明となる。
ここで、撮像装置１は、例えば、デジタルカメラにより構成される。また、携帯端末２は、例えば、スマートフォンとして構成される。
【００２３】
撮像装置１は、図２に示すように、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＲＡＭ（Ｒａｎｄｏｍ  Ａｃｃｅｓｓ  Ｍｅｍｏｒｙ）１０３と、バス１０４と、入出力インターフェース１０５と、撮像部１０６と、入力部１０７と、出力部１０８と、記憶部１０９と、第１通信部１１０と、第２通信部１１１と、ドライブ１１２と、を備えている。
【００２４】
ＣＰＵ１０１は、ＲＯＭ１０２に記録されているプログラム、又は、記憶部１０９からＲＡＭ１０３にロードされたプログラムに従って各種の処理を実行する。
【００２５】
ＲＡＭ１０３には、ＣＰＵ１０１が各種の処理を実行する上において必要なデータ等も適宜記憶される。
【００２６】
ＣＰＵ１０１、ＲＯＭ１０２及びＲＡＭ１０３は、バス１０４を介して相互に接続されている。このバス１０４にはまた、入出力インターフェース１０５も接続されている。入出力インターフェース１０５には、撮像部１０６、入力部１０７、出力部１０８、記憶部１０９、第１通信部１１０、第２通信部１１１及びドライブ１１２が接続されている。
【００２７】
撮像部１０６は、図示はしないが、光学レンズ部と、イメージセンサと、を備えている。ここで、撮像部１０６は、所定の機能として撮像機能を実現する部分であり、本発明における「所定の機能を実現する機能実行手段」に相当する。なお、所定の機能は、入力部１０７、出力部１０８、記憶部１０９、第１通信部１１０、第２通信部１１１及びドライブ１１２としてもよい。
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００２８】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
【００２９】
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１０６の出力信号として出力される。
このような撮像部１０６の出力信号を、以下、「撮像画像のデータ」と呼ぶ。撮像画像のデータは、ＣＰＵ１０１や図示しない画像処理部等に適宜供給される。
【００３０】
入力部１０７は、各種釦等で構成され、ユーザの指示操作に応じて各種情報を入力する。
出力部１０８は、ディスプレイやスピーカ等で構成され、画像や音声を出力する。
記憶部１０９は、ＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
【００３１】
第１通信部１１０は、無線ＩＣモジュール等で構成され、ＢＬＥの通信規格に準拠した通信方式で外部装置（本実施形態においては、携帯端末２）との間で行う通信を制御する。なお、撮像装置１では、第１通信部１１０以外の電源をオフすることが可能に構成される。即ち、図示しないが、撮像装置１の電源部は、第１通信部１１０を機能させるための電源であるサブ電源と、第１通信部１１０以外の主要部を機能させるための電源であるメイン電源とを独立して別々にＯＮ／ＯＦＦすることができるように構成される。サブ電源のみがオンの状態で、第１通信部１１０によって他の機器との通信が確立した場合に、この第１通信部１１０からメイン電源部に出力される電源ＯＮ信号によって自動的にメイン電源をオンするように構成することができる。
【００３２】
第２通信部１１１は、無線ＩＣモジュール等で構成され、Ｗｉ−Ｆｉの通信規格に準拠した通信方式で外部装置（本実施形態においては、携帯端末２）との間で行う通信を制御する。この通信は、例えば、Ｗｉ−Ｆｉの通信規格におけるアドホックモードや、Ｗｉ−Ｆｉ  Ｄｉｒｅｃｔと呼ばれる通信方法により実現することができる。
【００３３】
ドライブ１１２には、磁気ディスク、光ディスク、光磁気ディスク、或いは半導体メモリ等よりなる、リムーバブルメディア１１３が適宜装着される。ドライブ１１２によってリムーバブルメディア１１３から読み出されたプログラムは、必要に応じて記憶部１０９にインストールされる。また、リムーバブルメディア１１３は、記憶部１０９に記憶されている画像のデータ等の各種データも、記憶部１０９と同様に記憶することができる。
【００３４】
図３は、撮像装置１の機能的構成のうち、接続処理を実行するための機能的構成を示す機能ブロック図である。
接続処理とは、ＢＬＥイベントの発生を契機として、再接続等を行う一連の処理をいう。
【００３５】
接続処理を実行する場合には、図３に示すように、ＣＰＵ１０１において、使用状況取得部１１と、接続制御情報設定部１２と、通信制御部１３と、が機能する。
【００３６】
また、記憶部１０９の一記憶領域には、使用状況を示す情報である使用状況情報１４と、接続制御情報１５と、が記憶される。なお、撮像装置１のメイン電源をオフとした場合でも使用状況情報１４が保持されるように、記憶部１０９の少なくとも使用状況情報１４を記憶する記憶領域は不揮発性の記憶装置により実現する。
【００３７】
接続処理において、使用状況取得部１１と、接続制御情報設定部１２と、通信制御部１３は以下の処理を実行する。
使用状況取得部１１は、撮像装置１と携帯端末２との近距離無線通信に関する使用状況を取得する。使用状況取得部１１は、取得した使用状況を示す情報である使用状況情報１４を生成し、生成した使用状況情報１４を記憶部１０９に記憶させる。使用状況情報１４には、例えば、撮像装置１装置のメイン電源をオフとした時点において、撮像装置１と携帯端末２とがＢＬＥに準拠した通信接続中であったか、それとも通信接続を行っておらずアドバタイジング中であったかという使用状況を示す情報が含まれる。この場合に、メイン電源をオフとした時刻を使用状況情報１４に更に含ませることもできる。
【００３８】
また、使用状況情報１４には、それ以外にも、撮像装置１と携帯端末２とがＢＬＥに準拠した通信接続中に画像データの送受信等の通信を実際に行っていたか、それとも通信接続をしているだけであり特にデータ等の送受信等の実質的な通信は行っていなかった等の使用状況を示す情報を更に含ませることもできる。
【００３９】
接続制御情報設定部１２は、再接続処理実行時に、記憶部１０９から使用状況情報１４を読み出し、読み出した使用状況情報１４に基づいて接続制御情報１５を設定する。そして、接続制御情報設定部１２は、設定した接続制御情報１５を記憶部１０９に記憶させる。ここで、接続制御情報１５には、例えば、アドバタイジングパケットを送信する周期であるアドバタイジングインターバルや、再接続処理を行う時間の長さが含まれる。
【００４０】
ここで、アドバタイジングインターバルの設定は、接続制御情報設定部１２が、使用状況情報１４に基づいてアドバタイジングモードの何れかを選択することにより行う。本実施形態では、以下の接続優先モード、通常モード、及び電力優先モードの３つのアドバタイジングモードを用意する。
【００４１】
＜アドバタイジングモードとその設定内容＞
１）接続優先モード  →  アドバタイジングインターバル＿５０ｍｓｅｃ
２）通常モード      →  アドバタイジングインターバル＿５００ｍｓｅｃ
３）電力優先モード  →  アドバタイジングインターバル＿１５００ｍｓｅｃ
【００４２】
これら３つのアドバタイジングモードについて図４を参照して説明をする。ここで、図４は、接続優先モード、通常モード、及び電力優先モードの３つのアドバタイジングモードについて示す図である。ここで、図中の撮像装置１０から携帯端末２に向けた矢印は、アドバタイジングパケットの送信を示す。アドバタイジングパケットは、設定されたアドバタイジングインターバルに基づいて間欠的に送信される。ここで、ＢＬＥでは、アドバタイジングインターバルの当初の所定期間アドバタイジングパケットを送信した後、次のアドバタイジングインターバルが到来するまでの間は、アドバタイジングパケットの送信をすることなく休止する。図４では、アドバタイジングインターバルの当初の所定期間を一本の矢印で表している。
【００４３】
なお、図示の都合上、図４は模式化した図としており、アドバタイジングインターバルの長さの比と、図示しているアドバタイジングインターバルの長さの比は実際のものとは異なっている。例えば、接続優先モードにおけるアドバタイジングインターバルは５０ｍｓｅｃであり、通常モードにおけるアドバタイジングインターバルは５００ｍｓｅｃでありその比は１０倍であるが、図中ではアドバタイジングインターバルの比を１０倍としていない。
【００４４】
接続制御情報設定部１２が、仮にアドバタイジングモードとして「接続優先モード」を選択した場合には、図４の上段に示すようにアドバタイジングインターバルは５０ｍｓｅｃの周期となる。接続制御情報設定部１２は、このように短い周期を選択することで、各モードで最も速やかな再接続を実現することができる。
【００４５】
また、接続制御情報設定部１２が、仮にアドバタイジングモードとして「通常モード」を選択した場合には、図４の中段に示すようにアドバタイジングインターバルは５００ｍｓｅｃの周期となる。接続制御情報設定部１２は、このように短い周期を選択することで、電力優先モードより速やかな再接続を実現すると共に、接続優先モードより電力消費の削減を実現することができる。
【００４６】
接続制御情報設定部１２が、仮にアドバタイジングモードとして「電力優先モード」を選択した場合には、図４の下段に示すようにアドバタイジングインターバルは１５００ｍｓｅｃの周期となる。接続制御情報設定部１２は、このように長い周期を選択することで、各モードで最も電力消費の削減を実現することができる。
【００４７】
また、再接続処理を行う時間の長さ（図４の符号「Ｔ」に相当。）の設定は、接続制御情報設定部１２が、使用状況情報１４に基づいて、予め決定されている秒数を選択することにより行う。予め決定されている秒数とは、例えば、５秒や１０秒といった秒数である。
【００４８】
接続制御情報設定部１２が、どのような使用状況情報１４に基づいて、具体的に何れのアドバタイジングモードを選択して設定するのか、また何れの時間の長さを選択して設定するのかについては、図５及び図６のフローチャートを参照して後述する。
【００４９】
通信制御部１３は、接続制御情報設定部１２が設定して記憶部１０９に記憶させた接続制御情報１５を読み出す。そして、通信制御部１３は、接続処理において、この設定された接続制御情報に基づいた制御で、第１通信部１１０を制御することにより、ＢＬＥに準拠した無線接続の確立を試みる。具体的には、通信制御部１３は、接続制御情報１５により設定されているアドバタイジングモードに対応する周期でアドバタイジングパケットを送信するように、第１通信部１１０を制御する。また、通信制御部１３は、接続制御情報１５により設定されている時間の長さだけ、ＢＬＥに準拠した無線接続の確立を試みるように、第１通信部１１０を制御する。
【００５０】
更に、通信制御部１３は、第２通信部１１１を利用した、撮像装置１と携帯端末２との間のＷｉ−Ｆｉに準拠した通信についても制御を行う。
【００５１】
記憶部１０９において記憶される使用状況情報１４と、接続制御情報１５の具体的内容については上述した通りである。
【００５２】
次に、図５及び図６を参照して本実施形態の動作について説明をする。
図４及び図６、図３の機能的構成を有する図２の撮像装置１が実行する接続処理の流れを説明するフローチャートである。
接続処理は、撮像装置１のメイン電源がオフの状態の場合に開始される。
【００５３】
ステップＳ１１において、撮像装置１はＢＬＥ＿Ｓｌｅｅｐ中の状態となる。ここで、ＢＬＥ＿Ｓｌｅｅｐ中の状態とは、撮像装置１のメイン電源はオフであるが、第１通信部１１０を実現するＢＬＥモジュールには電力が供給されており、第１通信部１１０は通信可能な状態で起動している状態である。この状態においても、第１通信部１１０は、アドバタイジングパケットを送信しており、このアドバタイジングパケットに対して応答した携帯端末２との間でＢＬＥに準拠して通信接続を確立することができる。
【００５４】
ステップＳ１２において、第１通信部１１０はＢＬＥイベントが発生したか否かを判定する。ここで、ＢＬＥイベントが発生していない場合は、ステップＳ１２にてＮｏと判定され、ＢＬＥ＿Ｓｌｅｅｐ中の状態のままステップＳ１２の処理は繰り返される。一方で、ＢＬＥイベントが発生した場合は、ステップＳ１２にてＹｅｓと判定され、処理はステップＳ１３に進む。ここで、ＢＬＥイベントの例としては、ＢＬＥによるに準拠してペアリング済みの携帯端末２との間で、以下の３つの何れかのイベントが発生したことが挙げられる。
【００５５】
＜ＢＬＥイベントの例＞
（１）撮像装置１と携帯端末２の距離が近づいたことにより、現在のＢＬＥ接続が切断されたこと。
（２）撮像装置１と携帯端末２の距離が遠ざかったことにより、新たにＢＬＥ接続が確立されたこと。
（３）携帯端末２が、ユーザから所定の操作を受け付け、携帯端末２が受け付けた操作に応じたコマンドを撮像装置１に対して送信したこと。ここで、所定の操作とは、例えば、現在のＢＬＥ接続を切断するための操作、新たにＢＬＥ接続が確立するための操作、携帯端末２と撮像装置１との間でＷｉ−Ｆｉによる接続を確立するための操作等が挙げられる。
【００５６】
ステップＳ１３において、ＢＬＥイベントが発生したことを契機として撮像装置１のメイン電源はオンとなり、撮像装置１はカメラ起動処理を行う。この起動処理は、例えば、初期化処理や撮影のための準備処理等の必要最低限の起動処理である。
【００５７】
ステップＳ１４において、接続制御情報設定部１２は、記憶部１０９にて記憶されている使用状況情報１４を読み出す。この使用状況情報１４は、前回の撮像装置１のメイン電源オフ時のＢＬＥ接続状態を示す情報を含む。そして、接続制御情報設定部１２は、接続制御情報を設定するために、このＢＬＥ接続状態を示す情報に基づいて、前回の撮像装置１のメイン電源オフ時のＢＬＥ接続状態がどのような状態を示すのかについて判定を行う。
【００５８】
前回の撮像装置１のメイン電源オフ時に撮像装置１と携帯端末２がＢＬＥ接続を確立している状態であった場合には、ステップＳ１４にて［ＢＬＥ接続状態］と判定される。この場合前回の撮像装置１のメイン電源オフ時に撮像装置１と携帯端末２がＢＬＥ接続を確立しているので、ユーザは再度ＢＬＥ接続をするために意図的にＢＬＥイベントを発生させたと考えられる。そのため、接続制御情報設定部１２は、速やかに再接続ができるように、接続制御情報１５のアドバタイジングモードを「接続優先モード」、再接続処理を行う時間の長さを「５秒」と設定し、処理はステップＳ１５に進む。
【００５９】
一方で、前回の撮像装置１のメイン電源オフ時に撮像装置１と携帯端末２がＢＬＥ接続を確立しておらず、撮像装置１がアドバタイジングパケットを送信しているような状態であった場合には、ステップＳ１４にて［ＢＬＥアドバタイジング状態］と判定される。この場合前回の撮像装置１のメイン電源オフ時に撮像装置１と携帯端末２がＢＬＥ接続を確立していないので、ユーザはＢＬＥ接続をするために意図的にＢＬＥイベントを発生させたか否かは不明であり、速やかな再接続は必ずしも必要ではない。そのため、接続制御情報設定部１２は、不必要に消費電力を消費しないように、接続制御情報１５のアドバタイジングモードを「通常モード」、再接続処理を行う時間の長さを「１０秒」と設定し、処理はステップＳ１５に進む。
【００６０】
ステップＳ１５において、通信制御部１３は、接続制御情報１５の設定に基づいて、接続優先モードに対応するアドバタイジングインターバルである５０ｍｓｅｃの周期でアドバタイジングパケットを送信するという、ＢＬＥオープン処理を行う。
【００６１】
ステップＳ１６において、通信制御部１３は、接続制御情報１５の設定に基づいて、携帯端末２からのアドバタイジングパケットへの応答がないまま、ステップＳ１５でのアドバタイジングパケットの送信開始から「５秒」経過してタイムアウトしたか否かを判定する。５秒経過前に、携帯端末２からの応答があった場合には、ステップＳ１６にてＮｏと判定され処理は図６のステップＳ２４に進む。
【００６２】
一方で、５秒経過するまで、携帯端末２からの応答がなかった場合には、ステップＳ１６にてＹｅｓと判定される。この場合、前回の撮像装置１のメイン電源オフ時に撮像装置１と携帯端末２がＢＬＥ接続を確立していたが、５秒が経過するまでの応答がなかったことから、ユーザはＢＬＥ接続をするために意図的にＢＬＥイベントを発生させたか否かは不明であり、速やかな再接続は必ずしも必要ではない。そのため、接続制御情報設定部１２は、不必要に消費電力を消費しないように、接続制御情報１５のアドバタイジングモードを「通常モード」、再接続処理を行う時間の長さを「５秒」と設定し、処理はステップＳ１７に進む。
【００６３】
ステップＳ１７において、通信制御部１３は、接続制御情報１５の設定に基づいて、接続通常モードに対応するアドバタイジングインターバルである５００ｍｓｅｃの周期でアドバタイジングパケットを送信するという、ＢＬＥオープン処理を行う。
【００６４】
ステップＳ１８において、通信制御部１３は、接続制御情報１５の設定に基づいて、携帯端末２からのアドバタイジングパケットへの応答がないまま、ステップＳ１７でのアドバタイジングパケットの送信開始から「５秒」経過してタイムアウトしたか否かを判定する。５秒経過前に、携帯端末２からの応答があった場合には、ステップＳ１８にてＮｏと判定され処理は図６のステップＳ２４に進む。
【００６５】
一方で、５秒経過するまで、携帯端末２からの応答がなかった場合には、ステップＳ１８にてＹｅｓと判定される。この場合、ユーザは再接続を行う意図はなかったと考えられるので、これ以上のＢＬＥオープン処理は行うことなく、ステップＳ２１に進む。
【００６６】
ステップＳ２１において、接続制御情報設定部１２は、ＢＬＥ＿Ｓｌｅｅｐ中の状態となった際に、不必要に消費電力を消費しないように、接続制御情報１５のアドバタイジングモードを「電力優先モード」、再接続処理を行う時間の長さを「制限なし」と設定し、処理はステップＳ２２に進む。
【００６７】
ステップＳ２２において、使用状況取得部１１は、カメラのメイン電源オフに先立って、現在のＢＬＥ接続状態を、使用状況を取得する。この場合、使用状況取得部１１は、現在ＢＬＥ接続は確立しておらず、撮像装置１がアドバタイジングパケットを送信しているだけという使用状況を取得する。そして、使用状況取得部１１は、取得した使用状況を示す使用状況情報１４を生成し、生成した使用状況情報１４を記憶部１０９に記憶させる。
【００６８】
ステップＳ２３において、メイン電源がオフとなり、これと共にＢＬＥ＿Ｓｌｅｅｐ中の状態となるための処理が行われる。ＢＬＥ＿Ｓｌｅｅｐ中の状態では、ステップＳ２１での接続制御情報１５の設定に基づいて、電力優先モードに対応するアドバタイジングインターバルである１５００ｍｓｅｃの周期でアドバタイジングパケットを送信するという、ＢＬＥオープン処理が行われ、再度ステップＳ１１からの処理が繰り返される。
【００６９】
ステップＳ１９において、通信制御部１３は、接続制御情報１５の設定に基づいて、接続通常モードに対応するアドバタイジングインターバルである５００ｍｓｅｃの周期でアドバタイジングパケットを送信するという、ＢＬＥオープン処理を行う。
【００７０】
ステップＳ２０において、通信制御部１３は、接続制御情報１５の設定に基づいて、携帯端末２からのアドバタイジングパケットへの応答がないまま、ステップＳ１９でのアドバタイジングパケットの送信開始から「１０秒」経過してタイムアウトしたか否かを判定する。１０秒経過前に、携帯端末２からの応答があった場合には、ステップＳ２０にてＮｏと判定され処理は図６のステップＳ２４に進む。
【００７１】
一方で、１０秒経過するまで、携帯端末２からの応答がなかった場合には、ステップＳ２０にてＹｅｓと判定される。この場合、ユーザは再接続を行う意図はなかったと考えられるので、これ以上のＢＬＥオープン処理は行うことなく、ステップＳ２１に進む。ステップＳ２１以後の処理については上述した通りである。
【００７２】
図６を参照して接続処理についての説明を続ける。ステップＳ２４において、通信制御部１３の制御により、ＢＬＥ接続処理が行われる。これにより、撮像装置１と携帯端末２との間でＢＬＥに準拠した通信接続が確立される。
【００７３】
ステップＳ２５において、通信制御部１３は、携帯端末２からＢＬＥ接続を利用して何らかの要求がないまま、ステップＳ２４での通信接続の確立から所定時間経過してタイムアウトしたか否かを判定する。なお、今回の説明では、所定時間は５秒に設定されていることを想定する。
【００７４】
携帯端末２からＢＬＥ接続を利用して何らかの要求がないまま、ステップＳ２４での通信接続の確立から５秒経過してタイムアウトした場合には、ステップＳ２５にてＹｅｓと判定され、処理はステップＳ３０に進む。一方で、５秒経過前に、携帯端末２からＢＬＥ接続を利用して何らかの要求の応答があった場合には、ステップＳ２５にてＮｏと判定され処理は図６のステップＳ２６に進む。今回は、携帯端末２からＢＬＥ接続を利用してＷｉ−Ｆｉ接続の確立要求があったものとする。
【００７５】
ステップＳ２６において、通信制御部１３は、Ｗｉ−Ｆｉ接続を行うために第２通信部１１１を起動する処理を行う。
【００７６】
ステップＳ２７において、通信制御部１３は、第２通信部１１１を制御することにより、携帯端末２との間で、Ｗｉ−Ｆｉ接続を行うための処理を行う。なお、Ｗｉ−Ｆｉ接続を行うための処理については、当業者によく知られているので、ここでは詳細な説明を省略する。
【００７７】
ステップＳ２８において、撮像装置１と携帯端末２との間で、Ｗｉ−Ｆｉ接続による通信が行われる。ここで、通信で送受信されるデータには特に限定はないが、例えば撮像装置１から携帯端末２に対して、撮像装置１による撮像で得られた画像データが送信される。また、他にも例えば、携帯端末２から撮像装置１に対して、撮像の実行指示（すなわち、シャッターの押下に相当する指示）が送信される。
【００７８】
ステップＳ２９において、通信制御部１３は、撮像装置１のメイン電源をオフとする操作がなされたか否かを判定する。メイン電源をオフとする操作がなされていない場合には、ステップＳ２９にてＮｏと判定され、ステップＳ２８にて開始されている通信が継続されたままとなり、ステップＳ２９の処理が繰り返される。
【００７９】
一方で、メイン電源をオフとする操作がなされた場合には、ステップＳ２９にてＹｅｓと判定され、処理はステップＳ３０に進む。
【００８０】
ステップＳ３０において、接続制御情報設定部１２は、ＢＬＥ＿Ｓｌｅｅｐ中の状態となった際に、不必要に消費電力を消費しないように、接続制御情報１５のアドバタイジングモードを「電力優先モード」、再接続処理を行う時間の長さを「制限なし」と設定し、処理はステップＳ３１に進む。
【００８１】
ステップＳ３２において、使用状況取得部１１は、カメラのメイン電源オフに先立って、現在のＢＬＥ接続状態を、使用状況を取得する。この場合、使用状況取得部１１は、現在ＢＬＥ接続が確立しているという使用状況を取得する。そして、使用状況取得部１１は、取得した使用状況を示す使用状況情報１４を生成し、生成した使用状況情報１４を記憶部１０９に記憶させる。
【００８２】
ステップＳ３２において、メイン電源がオフとなり、これと共にＢＬＥ＿Ｓｌｅｅｐ中の状態となるための処理が行われる。ＢＬＥ＿Ｓｌｅｅｐ中の状態では、ステップＳ３０での接続制御情報１５の設定に基づいて、電力優先モードに対応するアドバタイジングインターバルである１５００ｍｓｅｃの周期でアドバタイジングパケットを送信するという、ＢＬＥオープン処理が行われ、再度ステップＳ１１からの処理が繰り返される。
【００８３】
以上説明した本実施形態の動作によれば、接続制御情報設定部１２が、使用状況情報１４に基づいて接続制御情報を設定することから、通信制御部１３は、適切な設定に基づいて再接続処理を行うことができる。例えば、上述したステップＳ１５、ステップＳ１７、及びステップＳ１９のように適切な設定に基づいて再接続処理を行うことができる。
【００８４】
また、本実施形態の動作によれば、接続制御情報設定部１２が、ステップＳ２１やステップＳ３０にて、電力優先モードに設定をすることから、ＢＬＥ＿Ｓｌｅｅｐ中の状態での電力消費量を削減することも可能となる。
【００８５】
これに対して、特許文献１に開示の技術等では、本実施形態のようにアドバタイジングインターバルや、再接続処理を行う時間の長さを選択するような処理は想定されておらず、これらは状況に関わらず一律に設定されており、適切に設定されない場合も想定される。すなわち、本実施形態における、適切な設定に基づいて再接続処理を行うことができるという効果は、特許文献１に開示の技術等の技術と比較して有利な効果である。
【００８６】
以上本実施形態の構成について説明をした。上述した実施形態に更に、以下のような構成を追加するようにしてもよい。
上述の実施形態では、接続制御情報設定部１２が、使用状況情報１４に基づいて接続制御情報１５を設定していた。これに加えて、更にユーザが接続制御情報を設定する構成を追加するとよい。つまり、ユーザが、入力部１０７を利用した手動の操作により、接続優先モード、通常モード、及び電力優先モードの３つのアドバタイジングモードの何れかを選択する。また、ユーザが、入力部１０７を利用した手動の操作により、再接続処理を行う時間の長さの秒数を選択する。
接続制御情報設定部１２は、ユーザの選択を検出し、ユーザの選択に基づいて接続制御情報１５を設定する。
【００８７】
このような構成を追加することにより、ユーザは、自身の使用状況に基づいて再接続処理についての設定を行うことができる。例えば、再接続を速やかすることを優先したい、という要望がある場合に、接続優先モードを選択することにより、この要望を満たすことができる。一方で、電力消費を抑えてバッテリを長持ちさせたい、という要望がある場合に、電力優先モードを選択することにより、この要望を満たすことができる。
【００８８】
他の追加構成として、接続制御情報設定部１２が、使用状況情報１４に基づいて接続制御情報１５を設定する場合に、バッテリ残量を考慮した選択を行う構成を追加するようにしてもよい。一般的に、撮像装置１のように携帯して利用される機器は、撮像装置１を駆動するためのバッテリの残量を測定する機能を備えている。そこで、接続制御情報設定部１２が、使用状況情報１４とバッテリ残量との双方に基づいて接続制御情報１５を設定するような構成を追加する。
【００８９】
具体的には、例えば、バッテリ残量が十分な場合には、選択するアドバタイジングモードを通常とは異ならせることが考えられる。例えば、ステップＳ１７やステップＳ１９においてアドバタイジングモードとして通常モードを選択しているが、バッテリ残量が十分な場合には、接続優先モードを選択するようにしてもよい。
【００９０】
また、バッテリ残量が残り少ない場合にも、選択するアドバタイジングモードを通常とは異ならせることが考えられる。例えば、ステップＳ１７やステップＳ１９においてアドバタイジングモードとして通常モードを選択しているが、バッテリ残量が残り少ない場合には、電力優先モードを選択するようにしてもよい。また、例えば、ステップＳ１４においてアドバタイジングモードとして接続優先モードを選択しているが、バッテリ残量が残り少ない場合には、通常優先モードを選択するようにしてもよい。
なお、バッテリとしては、一般的にリチウムイオン電池等の二次電池や、乾電池等の一次電池が利用される。
【００９１】
以上のように構成される撮像装置１は、携帯端末２と無線通信可能な撮像装置１であって、接続制御情報設定部１２と、通信制御部１３と、を備える。
接続制御情報設定部１２は、接続制御情報を設定する。
通信制御部１３は、接続制御情報設定部１２に設定されている接続制御情報に基づいて無線通信にかかる無線信号の送信間隔を制御する。
これにより、撮像装置１においては、適切な設定に基づいて無線信号の送信間隔の制御を行うことができる。
【００９２】
撮像装置１は、携帯端末２との間での無線通信に関する前回の使用状況を示す使用状況情報を記憶する記憶部２０９を更に備える。
接続制御情報設定部１２は、記憶部２０９に記憶されている使用状況情報に基づいて接続制御情報を設定する。
これにより、撮像装置１において、使用状況情報に基づいた設定をして無線信号の送信間隔の制御を行うことができる。
【００９３】
通信制御部１３は、無線信号の送信により携帯端末２との間で無線通信を行うための無線接続の確立を試みる。
これにより、撮像装置１において、再接続処理を行うことができる。
【００９４】
接続制御情報は、無線接続の確立を試みる時間の長さを示す情報を更に含み、
通信制御部１３は、接続制御情報に含まれる時間の長さだけ無線接続を試みる
これにより、撮像装置１において、無線接続を試みる時間の長さを適切に設定して再接続処理を行うことができる。
【００９５】
撮像装置１は、所定の機能を実現する機能実行手段を更に備える。
記憶部２０９は、機能実行手段への電源供給の停止を契機として使用状況情報を記憶し、
接続制御情報設定部１２は、機能実行手段の起動を契機として接続制御情報を設定し、
通信制御部１３は、機能実行手段の起動を契機として無線接続の確立を試みる。
これにより、撮像装置１において、撮像部１０６への電源供給停止時の使用状況に基づいて、設定を行うことができる。
【００９６】
接続制御情報設定部１２は、通信制御部１３が無線接続の確立を試みたが、無線接続が確立されなかった場合に、設定した接続制御情報の内容を変更する。
これにより、撮像装置１において、無線接続の確立を試みた結果に応じて、設定を行うことができる。
【００９７】
接続制御情報設定部１２は、記憶部２０９が記憶する使用状況情報に基づいて、複数の設定用情報の中から何れかの設定用情報を選択し、選択した設定用情報を接続制御情報に設定する。
これにより、撮像装置１において、接続制御情報設定部１２により自動的に設定を行うことができる。
【００９８】
接続制御情報設定部１２は、複数の設定用情報の中からユーザが選択した設定用情報を接続制御情報に設定する。
これにより、撮像装置１において、ユーザが自身の要望に応じて設定を行うことができる。
【００９９】
当該撮像装置１は、電池により駆動し、
接続制御情報設定部１２は、電池の残量と無線通信に関する前回の使用状況を示す使用状況情報との双方に基づいて接続制御情報を設定する。
これにより、撮像装置１において、更に電池の残量を考慮して設定を行うことができる。
【０１００】
無線信号は、ＢＬＥ規格に準拠したアドバタイジング信号である。
これにより、撮像装置１をＢＬＥに準拠して無線接続を行うことができる。
【０１０１】
以上のように構成される無線通信システムＳは、携帯端末２と無線通信が可能な撮像装置１と、携帯端末２とを備える。
撮像装置１は、
接続制御情報を設定する接続制御情報設定部１２と、
接続制御情報設定部１２に設定されている接続制御情報に基づいて無線通信にかかる無線信号の送信間隔を制御する通信制御部１３と、を備える。
携帯端末２は、
無線通信から通信制御部１３により制御された送信間隔で送信される無線信号を受信し、該受信した無線信号に応答することにより、撮像装置１との無線接続を確立し、
確立された無線接続により撮像装置１と携帯端末２との間で無線通信を行う。
これにより、適切な設定に基づいて再接続処理を行い、撮像装置１と携帯端末２との間で無線通信を行うことができる。
【０１０２】
なお、本発明は、上述の実施形態に限定されるものではなく、本発明の目的を達成できる範囲での変形、改良等は本発明に含まれるものである。
【０１０３】
上述の実施形態では、ステップＳ１４等において接続制御情報設定部１２が、使用状況情報１４に基づいて接続制御情報１５を設定する場合に、前回のメイン電源オフ時のＢＬＥ接続の状態に基づいて設定を行っていた。これを変形して、更に前回のメイン電源オフ時からの経過時間も考慮するようにしてもよい。例えば、前回のメイン電源オフ時に、ＢＬＥ接続状態が確立されており、そのすぐ後に再接続を行う場合には、ユーザが意図的にＢＬＥイベントを発生させた可能性が高い。そこで、上述したようにステップＳ１５にて接続優先モードに設定してＢＬＥオープン処理を行っていた。しかしながら、前回のメイン電源オフ時に、ＢＬＥ接続状態が確立されていたが、それから数時間が経過してから再接続を行う場合には、ユーザが意図的にＢＬＥイベントを発生させたか、偶然ＢＬＥイベントが発生したかは明らかではない。そこで、ステップＳ１５にて通常モードに設定してＢＬＥオープン処理を行うようにしてもよい。
【０１０４】
同様に、これを変形して前回のＢＬＥ接続時中に画像データの送受信等の通信を実際に行っていたか、それとも通信接続をしているだけであり特にデータ等の送受信等の実質的な通信は行っていなかった等を考慮するようにしてもよい。そして、画像データの送受信等の通信を実際に行っていた場合には、ＢＬＥによる通信を積極的に行うユーザであると考えられるので、上述したようにステップＳ１５にて接続優先モードに設定してＢＬＥオープン処理を行う。これに対して、通信接続をしているだけであり特にデータ等の送受信等の実質的な通信は行っていなかった場合には、ＢＬＴによる通信を積極的に行うユーザではないと考えられるので、ステップＳ１５にて通常モードに設定してＢＬＥオープン処理を行うようにしてもよい。
【０１０５】
また、上述の実施形態では、特にペアリング時の処理について言及していないが、ペアリング処理はユーザが意図的に操作して行う処理のため、速やかに接続することが好ましい。そこで、ペアリング処理を行う場合には、接続優先モードに設定してＢＬＥオープン処理を行うようにしてもよい。
【０１０６】
また、上述の実施形態では、本発明が適用される携帯端末２は、タブレット端末を例として説明したが、特にこれに限定されない。
例えば、本発明は、通信接続の切断後の再接続処理を有する電子機器一般に適用することができる。具体的には、例えば、本発明は、スマートフォン、スマートウォッチ、センサによる測定機能を備えた端末、ノート型のパーソナルコンピュータ、プリンタ、テレビジョン受像機、デジタルカメラ、ビデオカメラ、携帯型ナビゲーション装置、携帯電話機、ポータブルゲーム機等に適用可能である。
【０１０７】
上述した一連の処理は、ハードウェアにより実行させることもできるし、ソフトウェアにより実行させることもできる。
換言すると、図３の機能的構成は例示に過ぎず、特に限定されない。即ち、上述した一連の処理を全体として実行できる機能が携帯端末２に備えられていれば足り、この機能を実現するためにどのような機能ブロックを用いるのかは特に図３の例に限定されない。
また、１つの機能ブロックは、ハードウェア単体で構成してもよいし、ソフトウェア単体で構成してもよいし、それらの組み合わせで構成してもよい。
【０１０８】
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【０１０９】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【０１１０】
このようなプログラムを含む記録媒体は、ユーザにプログラムを提供するために装置本体とは別に配布される図２のリムーバブルメディア１１３により構成されるだけでなく、装置本体に予め組み込まれた状態でユーザに提供される記録媒体等で構成される。リムーバブルメディア１１３は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や、図２の記憶部１９に含まれるハードディスク等で構成される。
【０１１１】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段などより構成される全体的な装置を意味するものとする。
【０１１２】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【０１１３】
以下に、本願の出願当初の特許請求の範囲に記載された発明を付記する。
［付記１］
外部装置と無線通信可能な無線通信装置であって、
接続制御情報を設定する設定手段と、
前記設定手段に設定されている接続制御情報に基づいて前記無線通信にかかる無線信号の送信間隔を制御する制御手段と、
を備えることを特徴とする無線通信装置。
［付記２］
前記外部装置との間での前記無線通信に関する前回の使用状況を示す使用状況情報を記憶する記憶手段を更に備え、
前記設定手段は、前記記憶手段に記憶されている前記使用状況情報に基づいて接続制御情報を設定することを特徴とする付記１に記載の無線通信装置。
［付記３］
前記制御手段は、前記無線信号の送信により前記外部装置との間で前記無線通信を行うための無線接続の確立を試みることを特徴とする付記１又は２に記載の無線通信装置。
［付記４］
前記接続制御情報は、前記無線接続の確立を試みる時間の長さを示す情報を更に含み、
前記制御手段は、前記接続制御情報に含まれる時間の長さだけ前記無線接続を試みることを特徴とする付記３に記載の無線通信装置。
［付記５］
所定の機能を実現する機能実行手段を更に備え、
前記記憶手段は、前記機能実行手段への電源供給の停止を契機として前記使用状況情報を記憶し、
前記設定手段は、前記機能実行手段の起動を契機として前記接続制御情報を設定し、
前記制御手段は、前記機能実行手段の起動を契機として無線接続の確立を試みる、
ことを特徴とする付記２に記載の無線通信装置。
［付記６］
前記設定手段は、前記制御手段が無線接続の確立を試みたが、無線接続が確立されなかった場合に、前記設定した接続制御情報の内容を変更することを特徴とする付記１乃至５の何れか１に記載の無線通信装置。
［付記７］
前記設定手段は、前記記憶手段が記憶する使用状況情報に基づいて、複数の設定用情報の中から何れかの設定用情報を選択し、選択した設定用情報を接続制御情報に設定することを特徴とする付記２に記載の無線通信装置。
［付記８］
前記設定手段は、複数の設定用情報の中からユーザが選択した設定用情報を接続制御情報に設定することを特徴とする付記１乃至７の何れか１に記載の無線通信装置。
［付記９］
当該無線通信装置は、電池により駆動し、
前記設定手段は、前記電池の残量と前記無線通信に関する前回の使用状況を示す使用状況情報との双方に基づいて前記接続制御情報を設定することを特徴とする付記１乃至８の何れか１に記載の無線通信装置。
［付記１０］
前記無線信号は、ＢＬＥ規格に準拠したアドバタイジング信号であることを特徴とする付記１乃至９の何れか１に記載の無線通信装置。
［付記１１］
外部装置と無線通信が可能な無線通信装置と、前記外部装置とを備えた通信システムであって、
前記無線通信装置は、
接続制御情報を設定する設定手段と、
前記設定手段に設定されている接続制御情報に基づいて前記無線通信にかかる無線信号の送信間隔を制御する制御手段と、を備え、
前記外部装置は、
前記無線通信から前記制御手段により制御された送信間隔で送信される前記無線信号を受信し、該受信した無線信号に応答することにより、前記無線通信装置との無線接続を確立し、
前記確立された無線接続により前記無線通信装置と前記外部装置との間で無線通信を行うことを特徴とする通信システム。
［付記１２］
外部装置と無線通信可能な無線通信装置が実行する無線通信方法であって、
接続制御情報を設定する設定ステップと、
前記設定ステップにより設定されている接続制御情報に基づいて前記無線通信にかかる無線信号の送信間隔を制御する制御ステップと、
を含むことを特徴とする無線通信装置。
［付記１３］
外部装置と無線通信可能なコンピュータに、
接続制御情報を設定する設定機能、
前記設定機能により設定されている接続制御情報に基づいて前記無線通信にかかる無線信号の送信間隔を制御する制御機能、
を実現することを特徴とする無線通信プログラム。
【符号の説明】
【０１１４】
１・・・撮像装置，２・・・携帯端末，１１・・・使用状況取得部，１２・・・接続制御情報設定部，１３・・・通信制御部，１４・・・使用状況情報，１５・・・接続制御情報，１０１，２０１・・・ＣＰＵ，１０２，２０２・・・ＲＯＭ，１０３，２０３・・・ＲＡＭ，１０４，２０４・・・バス，１０５，２０５・・・入出力インターフェース，１０６，２０６・・・撮像部，１０７，２０７・・・入力部，１０８，２０８・・・出力部，１０９，２０９・・・記憶部，１１０，２１０・・・第１通信部，１１１，２１１・・・第２通信部，１１２，２１２・・・ドライブ，３００・・・リムーバブルメディア，Ｓ・・・通信システム
【図１】
2020114032.tif 000003
【図２】
2020114032.tif 000004
【図３】
2020114032.tif 000005
【図４】
2020114032.tif 000006
【図５】
2020114032.tif 000007
【図６】
2020114032.tif 000008
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
外部装置と無線通信可能な無線通信装置であって、
所定の機能を実行する機能実行手段への電源供給の停止を契機に当該無線通信装置の使用状況を示す使用状況情報を記憶する記憶手段と、
前記外部装置と無線通信を行っていない時に前記機能実行手段の起動を契機とした再接続の要求を受けたことにより、前記記憶手段によって記憶された使用状況情報に基づいて、前記外部装置との無線接続に係る接続制御情報を設定する設定手段と、
前記設定手段によって設定された接続制御情報に基づいて前記無線通信にかかる無線信号の送信間隔を制御する制御手段と、
を備え、
前記設定手段は、
前記使用状況情報により、前記機能実行手段への電源供給の停止時に、当該無線通信装置と前記外部装置が前記無線通信の接続を確立している状態であったと判定した場合は前記接続制御情報を接続優先モードに設定し、
前記使用状況情報により、前記機能実行手段への電源供給の停止時に、当該無線通信装置と前記外部装置が前記無線通信の接続を確立していない状態であったと判定した場合は前記接続制御情報を通常モードに設定し、
前記接続優先モードは前記通常モードよりも、前記無線通信にかかる無線信号の送信間隔が短いモードである、
ことを特徴とする無線通信装置。
【請求項２】
前記接続制御情報は、前記無線接続の再接続を行う時間の長さを示す情報を更に含み、
前記制御手段は、前記接続制御情報に含まれる時間の長さだけ前記無線通信の再接続を行うことを特徴とする請求項１に記載の無線通信装置。
【請求項３】
前記設定手段は、前記制御手段が無線接続の再接続を行ったが、無線接続が確立されなかった場合に、前記設定した接続制御情報の内容を変更することを特徴とする請求項１又は２に記載の無線通信装置。
【請求項４】
前記設定手段は、複数の設定用情報の中からユーザが選択した設定用情報を接続制御情報に設定することを特徴とする請求項１乃至３の何れか１項に記載の無線通信装置。
【請求項５】
当該無線通信装置は、電池により駆動し、
前記設定手段は、前記電池の残量と前記使用状況情報との双方に基づいて前記接続制御情報を設定することを特徴とする請求項１乃至４の何れか１項に記載の無線通信装置。
【請求項６】
前記無線信号は、ＢＬＥ規格に準拠したアドバタイジング信号であることを特徴とする請求項１乃至５の何れか１項に記載の無線通信装置。
【請求項７】
外部装置と無線通信が可能な無線通信装置と、前記外部装置とを備えた通信システムであって、
前記無線通信装置は、
所定の機能を実行する機能実行手段と、
前記機能実行手段への電源供給の停止を契機に当該無線通信装置の使用状況を示す使用状況情報を記憶する記憶手段と、
前記外部装置と無線通信を行っていない時に前記機能実行手段の起動を契機とした再接続の要求を受けたことにより、前記記憶手段に記憶されている使用状況情報に基づいて、前記外部装置との無線接続に係る接続制御情報を設定する設定手段と、
前記設定手段に設定されている接続制御情報に基づいて前記無線通信にかかる無線信号の送信間隔を制御する制御手段と、を備え、
前記設定手段は、
前記使用状況情報により、前記機能実行手段への電源供給の停止時に、当該無線通信装置と前記外部装置が前記無線通信の接続を確立している状態であったと判定した場合は前記接続制御情報を接続優先モードに設定し、
前記使用状況情報により、前記機能実行手段への電源供給の停止時に、当該無線通信装置と前記外部装置が前記無線通信の接続を確立していない状態であったと判定した場合は前記接続制御情報を通常モードに設定し、
前記接続優先モードは前記通常モードよりも、前記無線通信にかかる無線信号の送信間隔が短いモードであり、
前記外部装置は、
前記無線通信装置から前記制御手段により制御された送信間隔で送信される前記無線信号を受信し、該受信した無線信号に応答することにより、前記無線通信装置との無線接続を確立し、
前記確立された無線接続により前記無線通信装置と前記外部装置との間で無線通信を行うことを特徴とする通信システム。
【請求項８】
外部装置と無線通信可能な無線通信装置が実行する無線通信方法であって、
所定の機能を実行する機能実行手段への電源供給の停止を契機に当該無線通信装置の使用状況を示す使用状況情報を記憶する記憶ステップと、
前記外部装置と無線通信を行っていない時に前記機能実行手段の起動を契機とした再接続の要求を受けたことにより、前記記憶ステップにて記憶された使用状況情報に基づいて、前記外部装置との無線接続に係る接続制御情報を設定する設定ステップと、
前記設定ステップにて設定された接続制御情報に基づいて前記無線通信にかかる無線信号の送信間隔を制御する制御ステップと、
を含み、
前記設定ステップは、
前記使用状況情報により、前記機能実行手段への電源供給の停止時に、当該無線通信装置と前記外部装置が前記無線通信の接続を確立している状態であったと判定した場合は前記接続制御情報を接続優先モードに設定し、
前記使用状況情報により、前記機能実行手段への電源供給の停止時に、当該無線通信装置と前記外部装置が前記無線通信の接続を確立していない状態であったと判定した場合は前記接続制御情報を通常モードに設定し、
前記接続優先モードは前記通常モードよりも、前記無線通信にかかる無線信号の送信間隔が短いモードである、
ことを特徴とする無線通信方法。
【請求項９】
外部装置と無線通信可能なコンピュータに、
所定の機能を実行する機能実行手段への電源供給の停止を契機に当該コンピュータを備えた無線通信装置の使用状況を示す使用状況情報を記憶する記憶機能、
前記外部装置と無線通信を行っていない時に前記機能実行手段の起動を契機とした再接続の要求を受けたことにより、前記記憶機能によって記憶された使用状況情報に基づいて、前記外部装置との無線接続に係る接続制御情報を設定する設定機能、
前記設定機能によって設定された接続制御情報に基づいて前記無線通信にかかる無線信号の送信間隔を制御する制御機能、を実現させる無線通信プログラムであって、
前記設定機能は、
前記使用状況情報により、前記機能実行手段への電源供給の停止時に、当該無線通信装置と前記外部装置が前記無線通信の接続を確立している状態であったと判定した場合は前記接続制御情報を接続優先モードに設定し、
前記使用状況情報により、前記機能実行手段への電源供給の停止時に、当該無線通信装置と前記外部装置が前記無線通信の接続を確立していない状態であったと判定した場合は前記接続制御情報を通常モードに設定し、
前記接続優先モードは前記通常モードよりも、前記無線通信にかかる無線信号の送信間隔が短いモードである、
ことを特徴とする無線通信プログラム。
【手続補正２】
【補正対象書類名】明細書
【補正対象項目名】０００９
【補正方法】変更
【補正の内容】
【０００９】
上記目的を達成するため、本発明の一態様の無線通信装置は、
外部装置と無線通信可能な無線通信装置であって、
所定の機能を実行する機能実行手段への電源供給の停止を契機に当該無線通信装置の使用状況を示す使用状況情報を記憶する記憶手段と、
前記外部装置と無線通信を行っていない時に前記機能実行手段の起動を契機とした再接続の要求を受けたことにより、前記記憶手段によって記憶された使用状況情報に基づいて、前記外部装置との無線接続に係る接続制御情報を設定する設定手段と、
前記設定手段によって設定された接続制御情報に基づいて前記無線通信にかかる無線信号の送信間隔を制御する制御手段と、
を備え、
前記設定手段は、
前記使用状況情報により、前記機能実行手段への電源供給の停止時に、当該無線通信装置と前記外部装置が前記無線通信の接続を確立している状態であったと判定した場合は前記接続制御情報を接続優先モードに設定し、
前記使用状況情報により、前記機能実行手段への電源供給の停止時に、当該無線通信装置と前記外部装置が前記無線通信の接続を確立していない状態であったと判定した場合は前記接続制御情報を通常モードに設定し、
前記接続優先モードは前記通常モードよりも、前記無線通信にかかる無線信号の送信間隔が短いモードである、
ことを特徴とする。